(57)【要約】【課題】簡単な構造で且つ省スペース化が可能な演出装置によってインパクトのある動的な演出を実現する。【解決手段】前後の羽根プレート３２，３３は、係合部４４が係合孔４３の一端４３ａへ移動して当接する展開状態と他端４３ｂへ移動して当接する格納状態との間で、回転軸４２を中心として相対回転自在である。羽根プレート駆動用モータは、前側の羽根プレート３２を正方向７２及び逆方向７３に回転駆動する。格納状態で前側の羽根プレート３２が正方向７２へ回転すると、係合部４４が係合孔４３内を移動し一端４３ａと当接して展開状態となり、前後の羽根プレート３２，３３が展開状態を維持して正方向７２に回転する。展開状態で前側の羽プレート３２が逆方向７３へ回転すると、係合部４４が係合孔４３内を移動し他端４３ｂと当接して格納状態となり、前後の羽根プレート３２，３３が格納状態を維持して逆方向７３に回転する。【選択図】図１０
2016042949.tif 000002
【特許請求の範囲】
【請求項１】
遊技盤と、
前記遊技盤に対して固定されて前記遊技盤の一部を前方から覆う被覆部材と、
前後方向に沿った傾動軸を中心として前記遊技盤に対して回転自在に支持される傾動体と、前後方向に沿った回転軸を中心として前記傾動体に同軸で回転自在に支持される前後の羽根部と、前記傾動体を正方向及び逆方向に傾動駆動する傾動体駆動手段と、前記前後の羽根部のうち一方の羽根部を正方向及び逆方向に回転駆動する羽根部駆動手段と、を有する回転演出装置と、
前記傾動体駆動手段を制御して前記傾動体を傾動させるとともに、前記回転板駆動手段を制御して前記一方の羽根部を回転させる制御手段と、を備え、
前記前後の羽根部は、前記一方の羽根部が他方の羽根部に対して展開状態に回転して係合するとともに、前記一方の羽根部が前記他方の羽根部に対して前記展開状態から格納状態に逆回転して係合する係合部及び被係合部をそれぞれ有し、
前記展開状態では、前記前後の羽根部同士の重なりが少なく、前記格納状態では、前記前後の羽根部が略全域で相互に重なり、
前記傾動体は、前記格納状態で前記傾動体に対して所定の基準回転位置で停止した前記前後の羽根部が前記被覆部材の後方に隠れる退避位置と、前記展開状態の前記前後の羽根部が前記被覆部材から露出する作動位置との間を、前記傾動軸を中心として傾動可能であり、
前記制御手段は、遊技の進行に応じて、前記退避位置と前記作動位置との間の前記傾動体の傾動制御と、前記一方の羽根部の前記展開状態への回転制御又は前記展開状態から前記格納状態への逆回転制御とを実行する
ことを特徴とする遊技機。
【請求項２】
遊技機本体に対して固定され、遊技に係る演出画像を表示可能な表示領域を前面に有する演出表示装置と、
前記演出表示装置の前記表示領域の前方外側に配置され、前記遊技機本体に対して固定されて前記遊技機本体の一部を前方から覆う被覆部材と、
前後方向に沿った傾動軸を中心として前記遊技機本体に回転自在に支持される傾動体と、前後方向に沿った回転軸を中心として前記傾動体に回転自在に支持される第１の回転板と、前記回転軸を中心として前記傾動体に回転自在に支持されて前記第１の回転板と前後方向に重なる第２の回転板と、前記傾動体を正方向及び逆方向に傾動駆動する傾動体駆動手段と、前記第１の回転板を正方向及び逆方向に回転駆動する回転板駆動手段と、を有する回転演出装置と、
前記傾動体駆動手段を制御して前記傾動体を傾動させるとともに、前記回転板駆動手段を制御して前記第１の回転板を回転させる制御手段と、を備え、
前記第１の回転板は、第１の羽根部を有する羽根形状であり、
前記第２の回転板は、前記第１の羽根部と外形が略等しい第２の羽根部を有する羽根形状であり、
前記第１及び第２の回転板の一方は、前記回転軸を中心とした円弧状の係合孔を有し、
前記第１及び第２の回転板の他方は、前記係合孔にスライド移動自在に係合する係合部を有し、
前記第１の回転板と前記第２の回転板とは、前記係合部が前記係合孔の一端側へ移動して該係合孔の一端と当接する展開状態と、前記係合部が前記係合孔の他端側へ移動して該係合孔の他端と当接する格納状態との間で、前記回転軸を中心として相対回転自在であり、
前記展開状態では、前記第１の羽根部と前記第２の羽根部との重なりが少なく、前記格納状態では、前記第１の羽根部と前記第２の羽根部とが略全域で相互に重なり、
前記格納状態で前記第１の回転板が正方向へ回転すると、前記他端側から前記一端側へ前記係合部が前記係合孔内を移動し、前記係合孔の前記一端と前記係合部とが当接して前記展開状態となり、前記第１及び第２の回転板が前記展開状態を維持して正方向に回転し、
前記展開状態で前記第１の回転板が逆方向へ回転すると、前記一端側から前記他端側へ前記係合部が前記係合孔内を移動し、前記係合孔の前記他端と前記係合部とが当接して前記格納状態となり、前記第１及び第２の回転板が前記格納状態を維持して逆方向に回転し、
前記傾動体は、前記格納状態で前記傾動体に対して所定の基準回転位置で停止した前記第１及び第２の回転板が前記被覆部材の後方に隠れる退避位置と、前記展開状態の前記第１及び第２の回転板が前記演出表示装置の前記表示領域の前方に露出する作動位置との間を、前記傾動軸を中心として傾動可能であり、
前記制御手段は、回転演出の開始に応じて、前記傾動体を前記退避位置から前記作動位置へ傾動させるとともに、前記第１の回転板を正方向へ回転させる回転演出開始処理を実行し、前記回転演出の終了に応じて、前記第１の回転板を逆方向へ回転させ前記第１及び第２の回転板を前記格納状態で前記基準回転位置に停止するとともに、前記傾動体を前記作動位置から前記退避位置へ傾動させる回転演出終了処理を実行する
ことを特徴とする遊技機。
【請求項３】
請求項２に記載の遊技機であって、
前記第１の回転板が前記基準回転位置で停止して前記傾動体が前記退避位置に設定された状態と前記作動位置に設定された状態とにおいて、前記第２の回転板の自重による回転力は、前記係止部と前記係合孔の前記他端とが当接する方向へ作用する
ことを特徴とする遊技機。
【請求項４】
請求項３に記載の遊技機であって、
前記展開状態の第１及び第２の回転板が前記格納状態へ相対回転する際の前記第１の回転板に対する前記第２の回転板の前記回転軸を中心とした回転方向と、前記作動位置から前記退避位置へ傾動する際の前記傾動体の前記傾動軸を中心とした回転方向とは、反対方向に設定される
ことを特徴とする遊技機。
【発明の詳細な説明】
【技術分野】
【０００１】
本発明は、パチンコ機やスロットマシンなどの遊技機に関する。
【背景技術】
【０００２】
特許文献１には、上部可動演出装置と下部可動演出装置とを備えた遊技機が記載されている。上部可動演出装置は、表示部の外側の待機位置と表示部の前側の動作位置との間を往復動する２基の上部可動体を備え、上部可動体の各々は、複数の装飾体を有する。待機位置の複数の装飾体は、分離して収容空間に収容され、その大部分が遊技者側から隠される。動作位置の複数の装飾体は、表示部の前側で集合して意匠部を形成する。下部可動演出装置は、表示部の外側の待機位置と表示部の前側の動作位置との間で揺動する下部可動体を備える。
【先行技術文献】
【特許文献】
【０００３】
【特許文献１】特開２０１１−９２６５６号公報
【発明の概要】
【発明が解決しようとする課題】
【０００４】
特許文献１の遊技機は、複数の演出装置（上部可動演出装置と下部可動演出装置）の連携によって動的な演出効果を高めるものであり、各演出装置が単独で発揮する動的な演出効果は低い。例えば、上部可動演出装置は、遊技者側から隠される待機位置から表示部の前側の動作位置へ複数の装飾体が移動して集合するものであり、下部可動演出装置は、下部可動体が待機位置から動作位置へ揺動するものであり、複数の装飾体の集合動作と下部可動体の揺動とを連携させることによって、動的な演出効果を高めている。従って、インパクトのある動的な演出を実現するためには、複数の演出装置を配置するための広い領域を遊技機内に確保しなければならず、レイアウト上の制約が大きい。
【０００５】
また、上部可動演出装置は、待機位置で分離する複数の装飾体を動作位置への移動に伴って集合させるため、構造が複雑である。
【０００６】
本発明は、上記実状に鑑みてなされたものであり、簡単な構造で且つ省スペース化が可能な演出装置によってインパクトのある動的な演出を実現することを目的とする。
【課題を解決するための手段】
【０００７】
上記目的を達成するため、本発明の第１の態様の遊技機は、遊技盤と、被覆部材と、回転演出装置と、制御手段とを備える。被覆部材は、遊技盤に対して固定されて遊技盤の一部を前方から覆う。回転演出装置は、傾動体と、前後の羽根部と、傾動体駆動手段と、羽根部駆動手段とを備える。傾動体は、前後方向に沿った傾動軸を中心として遊技盤に対して回転自在に支持される。前後の羽根部は、前後方向に沿った回転軸を中心として傾動体に同軸で回転自在に支持される。傾動体駆動手段は、傾動体を正方向及び逆方向に傾動駆動する。羽根部駆動手段は、前後の羽根部のうち一方の羽根部を正方向及び逆方向に回転駆動する。制御手段は、傾動体駆動手段を制御して傾動体を傾動させるとともに、回転板駆動手段を制御して一方の羽根部を回転させる。
【０００８】
前後の羽根部は、一方の羽根部が他方の羽根部に対して展開状態に回転して係合するとともに、一方の羽根部が他方の羽根部に対して展開状態から格納状態に逆回転して係合する係合部及び被係合部をそれぞれ有する。展開状態では、前後の羽根部同士の重なりが少なく、格納状態では、前後の羽根部が略全域で相互に重なる。傾動体は、格納状態で傾動体に対して所定の基準回転位置で停止した前後の羽根部が被覆部材の後方に隠れる退避位置と、展開状態の前後の羽根部が被覆部材から露出する作動位置との間を、傾動軸を中心として傾動可能である。制御手段は、遊技の進行に応じて、退避位置と作動位置との間の傾動体の傾動制御と、一方の羽根部の展開状態への回転制御又は展開状態から格納状態への逆回転制御とを実行する。
【０００９】
上記構成では、遊技の進行に応じて、傾動体が退避位置から作動位置へ傾動し、被覆部材の後方に隠れていた前後の羽根部が出現するとともに、格納状態の前後の羽根部が展開状態に拡がって回転する。このように、前後の羽根部が出現する演出と展開して回転する演出とを連携して実行することができ、単一の回転演出装置によってインパクトのある動的な演出を実現することができる。
【００１０】
また、常態の前後の羽根部は略全域で相互に重なる格納状態で被覆部材の後方に位置するので、被覆部材の後方における前後の羽根部の配置スペースを狭く抑えることができ、省スペース化を図ることができる。
【００１１】
さらに、前後の羽根部を展開状態で回転させるための羽根部駆動手段によって、前後の羽根部を格納状態と展開状態との間で変更させるので、前後の羽根部を格納状態と展開状態との間で変更させるための駆動源を別途設ける必要がなく、部品点数の削減及び構造の簡素化を図ることができる。
【００１２】
本発明の第２の態様の遊技機は、演出表示装置と、被覆部材と、回転演出装置と、制御手段とを備える。演出表示装置は、遊技機本体に対して固定され、遊技に係る演出画像を表示可能である。被覆部材は、演出表示装置の表示領域の前方外側に配置され、遊技機本体に対して固定されて遊技機本体の一部を前方から覆う。
【００１３】
回転演出装置は、傾動体と、第１の回転板と、第２の回転板と、傾動体駆動手段と、回転板駆動手段とを有する。傾動体は、前後方向に沿った傾動軸を中心として遊技機本体に回転自在に支持される。第１の回転板は、前後方向に沿った回転軸を中心として傾動体に回転自在に支持される。第２の回転板は、上記回転軸を中心として傾動体に回転自在に支持されて第１の回転板と前後方向に重なる。傾動体駆動手段は、傾動体を正方向及び逆方向に傾動駆動する。回転板駆動手段は、第１の回転板を正方向及び逆方向に回転駆動する。制御手段は、傾動体駆動手段を制御して傾動体を傾動させるとともに、回転板駆動手段を制御して第１の回転板を回転させる。
【００１４】
第１の回転板は、第１の羽根部を有する羽根形状である。第２の回転板は、第１の羽根部と外形が略等しい第２の羽根部を有する羽根形状である。第１及び第２の回転板の一方は、回転軸を中心とした円弧状の係合孔を有する。第１及び第２の回転板の他方は、係合孔にスライド移動自在に係合する係合部を有する。第１の回転板と第２の回転板とは、係合部が係合孔の一端側へ移動して係合孔の一端と当接する展開状態と、係合部が係合孔の他端側へ移動して係合孔の他端と当接する格納状態との間で、回転軸を中心として相対回転自在である。展開状態では、第１の羽根部と第２の羽根部との重なりが少なく、格納状態では、第１の羽根部と第２の羽根部とが略全域で相互に重なる。
【００１５】
格納状態で第１の回転板が正方向へ回転すると、他端側から一端側へ係合部が係合孔内を移動し、係合孔の一端と係合部とが当接して展開状態となり、第１及び第２の回転板が展開状態を維持して正方向に回転する。展開状態で第１の回転板が逆方向へ回転すると、一端側から他端側へ係合部が係合孔内を移動し、係合孔の他端と係合部とが当接して格納状態となり、第１及び第２の回転板が格納状態を維持して逆方向に回転する。傾動体は、格納状態で傾動体に対して所定の基準回転位置で停止した第１及び第２の回転板が被覆部材の後方に隠れる退避位置と、展開状態の第１及び第２の回転板が演出表示装置の表示領域の前方に露出する作動位置との間を、傾動軸を中心として傾動可能である。
【００１６】
制御手段は、回転演出の開始に応じて、傾動体を退避位置から作動位置へ傾動させるとともに、第１の回転板を正方向へ回転させる回転演出開始処理を実行し、回転演出の終了に応じて、第１の回転板を逆方向へ回転させ第１及び第２の回転板を格納状態で基準回転位置に停止するとともに、傾動体を作動位置から退避位置へ傾動させる回転演出終了処理を実行する。
【００１７】
上記構成では、回転演出が開始されると、傾動体が退避位置から作動位置へ傾動し、被覆部材の後方に隠れていた第１及び第２の回転板が出現するとともに、格納状態の第１及び第２の回転板が展開状態に拡がって回転する。このように、第１及び第２の回転板が出現する演出と展開して回転する演出とを連携して実行することができ、単一の回転演出装置によってインパクトのある動的な演出を実現することができる。
【００１８】
また、回転演出が実行されない常態の第１及び第２の回転板は、第１の羽根部と第２の羽根部とが略全域で相互に重なる格納状態で被覆部材の後方に位置するので、被覆部材の後方における第１及び第２の回転板の配置スペースを狭く抑えることができ、省スペース化を図ることができる。
【００１９】
さらに、第１及び第２の回転板を展開状態で回転させるための回転板駆動手段によって、第１及び第２の回転板を格納状態と展開状態との間で変更させるので、第１及び第２の回転板を格納状態と展開状態との間で変更させるための駆動源を別途設ける必要がなく、部品点数の削減及び構造の簡素化を図ることができる。
【００２０】
本発明の第３の態様の遊技機は、第２の態様の遊技機であって、第１の回転板が基準回転位置で停止して傾動体が退避位置に設定された状態と作動位置に設定された状態とにおいて、第２の回転板の自重による回転力は、係止部と係合孔の他端とが当接する方向へ作用する。
【００２１】
上記構成では、回転演出の終了時において、傾動体が作動位置に設定され、格納状態の第１及び第２の回転板が基準回転位置で停止した場合、第２の回転板の自重による回転力は、係止部と係合孔の他端とが当接する方向へ作用するので、第１の回転板の逆方向への回転が停止した後であっても、格納状態を確実に維持させることができる。また、係る状態で傾動体が退避位置へ傾動した後においても、第２の回転板の自重による回転力は、係止部と係合孔の他端とが当接する方向へ作用するので、回転演出の非実行時の格納状態を確実に維持させることができる。
【００２２】
本発明の第４の態様の遊技機は、第３の態様の遊技機であって、展開状態の第１及び第２の回転板が格納状態へ相対回転する際の第１の回転板に対する第２の回転板の回転軸を中心とした回転方向と、作動位置から退避位置へ傾動する際の傾動体の傾動軸を中心とした回転方向とは、反対方向に設定される。
【００２３】
上記構成では、傾動体が作動位置から退避位置へ移動する際に第２の回転板に生じる慣性力は、第１の回転板に対して格納状態へ向かう方向への回転力として第２の回転板に作用するため、傾動体が作動位置から退避位置へ移動する間においても、格納状態を確実に維持させることができる。
【発明の効果】
【００２４】
本発明によれば、簡単な構造で且つ省スペース化が可能な演出装置によってインパクトのある動的な演出を実現することができる。
【図面の簡単な説明】
【００２５】
【図１】本発明の一実施形態に係るパチンコ機の外観斜視図である。
【図２】図１のパチンコ機の背面図である。
【図３】図１のパチンコ機の遊技盤を前方から視た正面図である。
【図４】図１のパチンコ機の電気的構成を示すブロック図である。
【図５】格納状態の回転演出装置を前方から視た斜視図である。
【図６】格納状態の回転演出装置の内部を後方から視た斜視図である。
【図７】動作状態の回転演出装置を前方から視た斜視図である。
【図８】動作状態の回転演出装置の内部を後方から視た斜視図である。
【図９】格納状態の前後の羽根プレートを後方から視た背面図である。
【図１０】展開状態の前後の羽根プレートを後方から視た背面図である。
【図１１】図５のXI−XI矢断面図である。
【図１２】図１１の斜視図である。
【図１３】図１１の後側の羽根プレート及びカラーを前方から視た正面図である。
【発明を実施するための形態】
【００２６】
以下、図１〜図１３を参照し、発明の実施形態を通じて本発明を詳説するが、以下の実施形態は特許請求の範囲に係る発明を限定するものではなく、実施形態の中で説明される特徴の組み合わせの全てが発明の解決手段に必須であるとは限らない。また、本発明は、遊技媒体としてメダルを使用し、遊技の成果の特典としてメダルが払い出される回胴式遊技機（スロットマシン）等の他の遊技機にも適用可能である。
【００２７】
なお、以下の説明においてパチンコ機の各部の左右方向は、そのパチンコ機に対面する遊技者にとっての左右方向に一致させて説明し、前後方向は、パチンコ機に対面する遊技者側を前側として説明する。
【００２８】
［遊技機］
図１に示すように、本実施形態の遊技機１は、遊技場の島設備に設置される縦長方形状の機枠２と、この機枠２に開き戸状に開閉自在に取り付けられた本体枠３と、当該本体枠３の内側に装着された遊技盤２０（図３参照）と、本体枠３の前面に開き戸状に開閉自在に取り付けられ、遊技盤２０を視認させるよう中央に大きくガラス窓４ａが設けられたガラス扉４と、本体枠３の下側に開閉自在に設けられ、遊技球を収容する受皿６を有する前面ボード５と、本体枠３の下部に配設された遊技球を発射するための発射装置７ａ（図４参照）と、前面ボード５に取り付けられ、遊技者の回転操作に基づいて遊技球を発射装置７ａに発射させるためのハンドル７と、ガラス扉４の左右の上部及び左の下部にそれぞれ設けられ、遊技の状況に応じた効果音を出力するスピーカ８と、ガラス扉４の前面に取り付けられ、遊技の状況に応じて点灯、消灯及び点滅する照明演出を行う枠体ランプ９とを備える。機枠２、本体枠３及び遊技盤２０は、遊技機本体を構成する。前面ボード５には、遊技者からの押下操作を受け付ける演出ボタン１０が設けられている。演出ボタン１０は、押下操作によってＯＮ／ＯＦＦが切り替わる押下検出スイッチ（図示省略）を備え、遊技者からの押下操作に応じて、後述するサブ制御装置２００（図４参照）へ操作信号（ボタン操作信号）を送信する。操作信号は、１回の押下操作毎に１回送信され、複数回連続して押下操作されると、同数の操作信号が送信される。
【００２９】
図２に示すように、遊技機１の背面側には、遊技機１全体を制御するための各種処理を実行し、その処理結果に応じ、遊技を制御するための各種の制御コマンドを演算処理して出力する主制御装置（制御装置）１００と、主制御装置１００の上方に配置され、図４に示すように、主制御装置１００からの制御コマンドを受信して、スピーカ８、枠体ランプ９、後述する演出表示装置１１、傾動体駆動用モータ（傾動体駆動手段）３４及び回転板駆動用モータ（羽根部駆動手段、回転板駆動手段）３５等へ制御コマンドを送信して演出に係る制御を実行するサブ制御装置（制御装置）２００と、主制御装置１００の下方に配置され、主制御装置１００からの制御コマンドを受信することによって、サブ制御装置２００の右隣に配置されている入賞した賞球を払い出すための賞球払出装置３１０の作動を制御して、受皿６へ遊技球を払出すとともに、ハンドル７の回転操作量に応じて発射装置７ａの作動を制御して（遊技者の操作によって、ハンドル７の回転操作量が大となると、遊技機１の前面側に設けられる発射装置７ａに対して遊技球の射出力が大となるように制御して）遊技領域２１への遊技球の発射を行う払出発射制御装置３００とが設けられる。また、図２における払出発射制御装置３００の左隣には、各制御装置に電力を供給するための電源装置４００が設けられる。
【００３０】
主制御装置１００、サブ制御装置２００、及び払出発射制御装置３００は何れもＣＰＵと、コンピュータプログラム及び遊技処理に必要なデータを格納したＲＯＭと、ＣＰＵがＲＯＭに格納されたコンピュータプログラムに従って処理を行うための一時記憶領域であるＲＡＭとを備えるマイクロコンピュータである。
【００３１】
主に図３に示すように、遊技盤２０は、その盤面（前面）に遊技球が流下する遊技領域２１を備える。受皿６に貯留された遊技球は、発射装置７ａにより発射されて図３に示す矢印方向へ飛んで発射口２４を通過し、遊技領域２１の上部に到達し、遊技領域２１内を流下することになる。
【００３２】
［遊技領域］
遊技領域２１は、ガラス窓４ａ（図１参照）を透して前方から視認することができ、図３に示すように、遊技球の滑走方向を規制する遊技球規制レール２３によって略円形状となるように区画形成されている。換言すると、遊技盤２０は遊技球規制レール２３より内側の遊技領域２１と外側とに区画される。
【００３３】
遊技領域２１の略中央には、遊技盤２０の後方に配置される演出表示装置１１の画面を前方へ露出させる開口部（図示省略）が形成され、図３に示すように、演出表示装置１１の画面の近傍（本実施形態では左側近傍）には、回転演出装置３０が設けられている。遊技領域２１には、誘導路２５から遊技球を一旦受け入れてステージ２６上を揺動させて第１始動入賞口６１へ流下させるセンター役物１２と、遊技球の入賞を契機（所定の契機）に、主制御装置１００により後述する第１特別図柄抽選等が実行される第１始動入賞口６１と、同じく遊技球の入賞を契機（所定の契機）に、主制御装置１００により後述する第２特別図柄抽選等が実行される第２始動入賞口６２と、第２始動入賞口６２上部の入口側に設けられた左右１対の羽根部材６３ａであって、電動チューリップ駆動装置（ソレノイド）６３ｂ（図４参照）への通電により、一対の羽根部材６３ａの先端が基端を中心として互いに離れて第２始動入賞口６２の入口を拡大して遊技球の流入を可能とするとともに、先端が互いに接近し第２始動入賞口６２の入口を縮小して遊技球の流入を不能とするように回動する電動チューリップ６３と、遊技球が通過することを契機に、主制御装置１００により電動チューリップ６３の開放契機となる後述する普通図柄に係る抽選（普図抽選、普通図柄抽選ともいう）が実行されるスルーチャッカ（図示省略）と、横長な長方形の開口であり一度に複数の遊技球が入賞可能な大入賞口６５と、アタッカ駆動装置６６ｂ（図４参照）によって大入賞口６５の略相補的形状をなす蓋部材６６ａを回動させることにより、後述する特図抽選の結果、当選した場合に大入賞口６５を遊技球の流入を可能とする開放状態と常態（後述する通常遊技状態）で遊技球の流入を不能とする閉鎖状態とに変位させるアタッカ装置６６と、遊技球の入賞を契機に、抽選は実行されず、払出しのみが行われる一般入賞口６７と、遊技領域２１の最下部に位置し入賞せずに流下してきた遊技球を回収するアウト口６８とが設けられている。なお、演出装置１１の画面の上方には、所定の契機に下降して演出を実行する昇降役物ユニット２９が保持されている。
【００３４】
演出表示装置１１は、画像によって遊技状態等を表示可能な液晶表示器であり、遊技盤２０に固定されるセンター役物１２の略中央には、遊技盤２０の開口部を介して演出表示装置１１の画面（遊技に係る演出画像を表示可能な表示領域）を前方から視認可能とする開口部１２ａが形成されている。センター役物１２の開口部１２ａの周縁には、演出表示装置１１の画面の前方外側に配置されて遊技盤２０の開口部の周縁部分を前方から覆う役物飾り（被覆部材）１５が設けられている。回転演出装置３０は、基端側（下端側）が遊技盤２０に傾動自在に支持される傾動体３１と、傾動体３１の先端側（上端側）に回転自在に支持される風車役物３６と、傾動体３１を傾動駆動する傾動体駆動用モータ３４（図４参照）と、風車役物３６を回転駆動する羽根プレート駆動用モータ３５（図４参照）とを備え、傾動体３１が傾動体駆動用モータ３４によって傾動制御され、風車役物３６が羽根プレート駆動用モータによって回転駆動されて、遊技の状況に応じた演出を行う。風車役物３６は、前側の羽根プレート３２と後側の羽根プレート３３とを備え、前後の羽根プレート３２，３３は、Ｉ字状に重なる格納状態と十文字状に開く展開状態との間で相対回転可能に傾動体３１に支持される。傾動体３１は、常態では略鉛直方向に起立する退避位置（図３に破線で示す位置）に保持され、風車役物３６による回転演出の実行時に、退避位置から右方向（時計回り）に傾動して作動位置（図３に二点鎖線で示す位置）に保持される。退避位置では、格納状態の風車役物３６を含む回転演出装置３０の全体が役物飾り１５の後方に隠れ、作動位置では展開状態の風車役物３６が演出表示装置１１の画面の前方に露出する。演出表示装置１１と回転演出装置３０とによる演出の組み合わせにより演出のバリエーションを増加させることができる。
【００３５】
上記構成により、遊技球の始動入賞口６１、６２への入賞を契機とした第１特別図柄抽選または第２特別図柄抽選の結果が当選となって大当り遊技となった場合に、アタッカ装置６６は、大入賞口６５を所定のラウンド数開放して（ラウンド処理ともいう）、多数の遊技球を大入賞口６５に入賞可能とする。これにより、払出し可能な出球（賞球）数を、ラウンド処理されない通常遊技と比較して増大させることにより、遊技者にとって有利な有利遊技を提供することができる。
【００３６】
なお、第１始動入賞口６１、第２始動入賞口６２、大入賞口６５、スルーチャッカ、一般入賞口６７のそれぞれには、遊技球の通過を検知する第１始動入賞口検知センサ９１、第２始動入賞口検知センサ９２、大入賞口検知センサ９３、スルーチャッカ検知センサ９４、一般入賞口検知センサ９５が内蔵されている。
【００３７】
これらの検知センサ９１〜９５は、遊技球の通過に伴い遊技球検知信号（電気信号）を出力する磁気センサであり、その遊技球検知信号は主制御装置１００に入力される（図４参照）。各入賞口６１、６２、６５、６７は、各センサ９１、９２、９３、９５により遊技球の流入を検知することに基づいて賞球を伴う入賞とし得るようになっている。
【００３８】
主に図３に示すように、遊技盤２０の遊技球規制レール２３の外側の右下隅部には、数字や絵柄等からなる特別図柄を表示可能な２桁の７セグメント表示装置であって、後述する第１特別図柄抽選の抽選結果として第１特別図柄が表示されるよう主制御装置１００によって制御される第１特別図柄表示装置１３ａ、同じく後述する第２特別図柄抽選の抽選結果として第２特別図柄が表示されるよう主制御装置１００によって制御される第２特別図柄表示装置１３ｂと、２つのＬＥＤランプを設け後述する普通図柄抽選の抽選結果が表示されるよう主制御装置１００によって制御される普通図柄表示装置１４とが設けられている。
【００３９】
ここで、本実施形態の遊技機における「１遊技」は、第１特別図柄表示装置１３ａ、または第２特別図柄表示装置１３ｂが作動することとなる第１始動入賞口６１または第２始動入賞口６２への遊技球の入賞を始期とし、第１特別図柄表示装置１３ａ、または第２特別図柄表示装置１３ｂの特別図柄が変動（変動表示ともいう）を開始したときから、当該変動が継続している状態を経て、当該変動が終了する特別図柄の停止（停止表示ともいう）時を終期とする期間の遊技単位である。
【００４０】
次に、図４を参照し、主要な制御装置について詳説しながら本実施形態の遊技機の機能（制御）について説明する。
【００４１】
［主制御装置］
主制御装置（制御装置）１００は、遊技機１全体を統括的に制御するものであって、図４に示すように、各入賞口等に設けられている検知センサ９１〜９５からの遊技球の検知信号の入力に基づいて抽選、賞品球の払い出し等を実行し、抽選結果に基づいて遊技状態を移行し、制御コマンドを各種装置に送信して各種装置の作動の制御を実行する。
【００４２】
主制御装置１００は、第１始動入賞口検知センサ９１からの検知信号の入力に基づいて、第１特別図柄に係る電子抽選である第１特別図柄抽選（単に、特図抽選ともいう）を実行して当選（以下、大当りともいう）か非当選（以下、ハズレともいう）かを決定するとともに特図の種類（特図の最終停止形態）を決定し、第１特図の変動パターンに係る電子抽選である第１特図変動パターン抽選を実行して変動パターンを決定する。
【００４３】
また、主制御装置１００は、第２始動入賞口検知センサ９２からの検知信号の入力に基づいて、第２特別図柄に係る電子抽選である第２特別図柄抽選（単に、特図抽選ともいう）を実行して当選（以下、大当りともいう）か非当選（以下、ハズレともいう）かを決定するとともに特図の種類（特図の最終停止形態）を決定し、第２特図の変動パターンに係る電子抽選である第２特図変動パターン抽選を実行して変動パターンを決定する。
【００４４】
ここで、変動パターンには「信頼度」、「変動時間」等のパラメータが設定されている。
【００４５】
信頼度は段階的に「低」、「中」、「高（最高）」等が設けられる。例えば、特図抽選の結果、当選となった場合に選択されやすく、かつ非当選となった場合に選択されにくい変動パターンには、信頼度「高（最高）」が設定され、当選となった場合に選択されにくく、かつ非当選となった場合に選択されやすい変動パターンには信頼度「低」が設定され、それらの中間程度の変動パターンには信頼度「中」が設定される。即ち、特図抽選の結果、当選となった場合に表示され易くなるような確率に設定された変動パターンほど信頼度が高く、非当選の際に表示され易くなるような確率に設定された変動パターンほど信頼度が低い。
【００４６】
変動時間は信頼度が高い変動パターンほど長く設定されており、信頼度が低い変動パターンほど短く設定されている（一部例外として、信頼度が高いが、変動時間が短いパターンも有る）。
【００４７】
主制御装置１００は、第１特図に係る変動パターンに基づいて第１特別図柄を第１特別図柄表示装置１３ａに変動表示させ、特図の種類に基づいて変動表示中の第１特別図柄を最終停止形態で表示させる制御を実行する。また、主制御装置１００は、第２特図に係る変動パターンに基づいて第２特別図柄を第２特別図柄表示装置１３ｂに変動表示させ、特図の種類に基づいて変動表示中の第２特別図柄を最終停止形態で表示させる制御を実行する。
【００４８】
主制御装置１００の特図抽選の結果、当選となった場合、特図の種類（特別図柄の最終停止形態）に応じて当り遊技の種類が確定する。さらに、当り遊技の種類に応じて、大当り遊技に係る期待出球量が確定し、かつ当該当り遊技後の遊技状態が確定する。
【００４９】
即ち、本実施形態の遊技機における大当り遊技における期待出球量は当り遊技の種類に応じて、約６００、９００、１２００、１５００発のように段階的に設定されている。さらに、一度に約２０００発の出球量が期待できる遊技の種類（超大当り）が設定されている。
【００５０】
また、当り遊技の種類に応じて、当該当り遊技が、後述する普通図柄抽選の当選確率のみが向上する後述する所謂時短遊技を伴う単発当り、または当り遊技後における特図抽選の当選確率及び普図抽選の当選確率が向上する所謂確変状態（以下、単に確変、確変遊技、確変遊技状態ともいう）を伴う確変当り、期待出球数が他の当りと比較して最も多く、かつ確変遊技が伴う超大当たり等が選択される。
【００５１】
従って、本実施形態の遊技機において、遊技者にとって遊技の有利性は、単発当り＜確変当り＜超大当りの順で段階的に設定されている。
【００５２】
一方、特図抽選の当選確率においては、単発当たり＞確変当たり＞超大当たりとなるように設定されており、より有利な遊技ほど当選し難いように設定されている。
【００５３】
図４に示すように、主制御装置１００は、スルーチャッカ検知センサ９４からの検知信号に基づいて、普通図柄（普図ともいう）に係る電子抽選である普通図柄抽選を実行する。主制御装置１００は普通図柄表示装置１４に当該抽選の結果を表示する制御を実行する。主制御装置１００は、主制御装置１００が普図抽選の結果当選した場合に、ソレノイド６３ｂの作動を制御することにより電動チューリップ６３の１対の羽根部材６３ａを開放し、ハズレの場合には閉鎖状態を維持するように制御する。
【００５４】
ここで、主制御装置１００は、普図抽選の当選確率が高確率状態となった場合は、普通図柄に係る抽選の当選確率を略１００％（低確率状態では略１％）に向上させ、当選時の開放回数を例えば５回（低確率状態では１回）に増加させ、さらに普図抽選に係る抽選時間、換言すると、普通図柄に係る抽選から当該抽選結果の報知までに要する時間を短くする。これにより、所謂時短状態（時短遊技）となって電動チューリップ６３が開放状態となりやすくなり、第２始動入賞口６２への入賞確率が向上し、継続的に入賞に係る賞球を得つつ、短期間で連続的に抽選（特図抽選）がなされるため遊技球を減らさずに効率的に遊技（特図抽選）を行うことができる。
【００５５】
なお、本実施形態の確変遊技では、特図抽選の当選確率が高確率状態を伴う時短遊技が実行される。
【００５６】
図４に示すように、主制御装置１００は、第１始動入賞口検知センサ９１、第２始動入賞口検知センサ９２、大入賞口検知センサ９３、及び一般入賞口検知センサ９５からの検知信号の入力に基づいて、各入賞口に予め対応付けられている賞球の払出個数に係る賞球信号を払出発射制御装置３００に送信し、払出発射制御装置３００を制御して賞球払出装置３０１によって遊技球を受皿６へ払い出させる。
【００５７】
主制御装置１００は、特図抽選の結果が当選となった場合に、大当り遊技として、遊技の種類に応じて所定の期待出球量を払出し可能となるように、アタッカ装置６６のアタッカ駆動装置６６ｂにラウンド処理を実行させる制御を行う。
【００５８】
また、主制御装置１００は、遊技状態を移行する制御を行う。ここで遊技状態は、大別すると通常遊技状態と特定遊技状態とが設定されている。
【００５９】
通常遊技状態は、特図当選確率が所定の値（例えば１/３００）に設定され、遊技球を消費する遊技状態である。当該特図抽選の当選（大当り）の確率を鑑みると、通常遊技状態は特定遊技状態と比べて多くの時間行われる遊技と言える。一方、特定遊技状態は、通常遊技状態よりも遊技者にとって有利な遊技状態であって、例えば、遊技球が継続的に増加する大当り遊技状態、または、大当り遊技後の確変遊技状態及び時短遊技状態等の複数の有利な遊技状態が設定されている。また、本発明においては、特定遊技状態には、遊遊技者にとって有利な遊技状態（大当り遊技や確変遊技等）への移行の可能性や確定等を示唆するリーチ演出等も含むものとする。なお、リーチ演出等は後述するサブ制御装置２００によって制御される。
【００６０】
図４に示すように、主制御装置１００は、少なくとも上述の抽選結果情報（特図抽選の抽選結果に係る情報、変動パターンに係る情報）を制御コマンドとしてサブ制御装置２００へ送信する。
【００６１】
［サブ制御装置］
次に、サブ制御装置（制御手段）２００について説明する。
【００６２】
図４に示すように、サブ制御装置２００は、主制御装置１００からの制御コマンドを受信して、特図抽選の当否結果に応じた演出を制御するための演出パターン（１遊技内で行われる演出）を決定するための演出パターン抽選を行い、当該演出パターンに基づいて、複数の演出装置（スピーカ８、枠体ランプ９、演出表示装置１１、回転演出装置３０など）のうち、一または複数の演出装置の演出の制御を実行する。
【００６３】
演出パターンは、スピーカ８から出力される音響に係る情報、枠体ランプ９による照明演出に係る情報、演出表示装置１１に表示される演出画像に係る情報、回転演出装置３０による演出態様に係る情報等がそれぞれ設定されている。
【００６４】
演出パターン抽選は、上述の変動パターンのパラメータである「信頼度」及び「変動時間」に基づいて行われる。例えば、サブ制御装置２００は、変動パターンに、信頼度「Ｘ」、変動時間「Ｙ秒」が設定されている場合は、当該条件である信頼度「Ｘ」及び変動時間「Ｙ秒」を満たす複数の演出パターンが設定された抽選テーブルを参照して抽選を行う。
【００６５】
従って、抽選の結果選択された演出パターンには、先の変動パターンに係る信頼度及び変動時間が引き継がれることとなる（変動時間は演出時間として引き継がれる）。
【００６６】
抽選対象となる演出パターンのうち一部の演出パターンは、回転演出装置３０の風車役物３６の回転動作を伴う演出パターン（回転演出パターンともいう）を含む。なお、風車役物３６の回転動作を伴う演出（回転演出ともいう）の具体例については、回転演出に係る回転演出装置３０の動作説明に含めて後述する。
【００６７】
さらに、演出パターンには、上述の信頼度に対応する一連の演出として、所謂リーチ演出が設定されている。リーチ演出には、信頼度に応じてノーマルリーチ演出、スーパーリーチ演出、スペシャルリーチ演出等が設定されている。
【００６８】
サブ制御装置２００は、上述のように選択された演出パターンに基づいて、演出表示装置１１に所定の演出図柄（図示省略）を表示する制御を実行する。具体的には、所定の演出パターンに基づいて、第１演出図柄（第２演出図柄）を当該表示装置の表示領域に変動表示（例えば、序列が定められた複数の記号または数値を所定速度で順番にリールが回転するように変動表示）させるとともに、各演出図柄の表示上の後側に遊技状態に対応する変動画像または静止画像である背景画像及びキャラクタ画像等を変動表示させ、第１特別図柄（第２特別図柄）の停止時期と略同期して、第１演出図柄（第２演出図柄）を停止表示する制御を実行する。
【００６９】
第１演出図柄は、第１特別図柄表示装置１３ａ（図３参照）に表示される第１特別図柄の変動表示及び停止表示と略連動して前記表示装置の表示領域に変動表示及び停止表示される。即ち、通常遊技状態において、第１始動入賞口６１（図３参照）への遊技球の入賞を契機に前記表示装置の表示領域に変動表示及び停止表示される図柄である。
【００７０】
一方、第２演出図柄は、第２特別図柄表示装置１３ｂ（図３参照）に表示される第２特別図柄の変動表示及び停止表示と略連動して前記表示装置の表示領域に変動表示及び停止表示される。即ち、確変遊技や時短遊技において、第２始動入賞口６２（図３参照）への遊技球の入賞を契機に前記表示装置の表示領域に変動表示及び停止表示される図柄である。
【００７１】
また、本実施形態の遊技機では、第１演出図柄及び第２演出図柄は共通図柄（デザイン）を使用しているが、遊技状態の差別化を図るために別図柄（デザイン）を使用するようにしてもよい。例えば、「７」を示す場合、第１演出図柄においては「炎」をモチーフにした「７」を、第２演出図柄においては「雷」をモチーフにした「７」を形成するようにしてもよい。
【００７２】
また、サブ制御装置２００は、同じく演出パターンに基づいて、スピーカ８の音響演出の実行を制御し、枠体ランプ９の照明演出の実行を制御し、回転演出装置３０の各駆動装置（傾動体駆動用モータ３４、羽根プレート駆動用モータ３５）を制御して、その駆動力により回転演出装置３０による演出の実行を制御して、全体として一体感ある演出を提供する。なお駆動装置は、モータ以外のソレノイド等であってもよい。
【００７３】
なお、主制御装置１００及びサブ制御装置２００を１つの制御装置として構成し、主制御装置１００及びサブ制御装置２００の上述の機能を集約させるようにしてもよい。
【００７４】
［回転演出装置］
次に、回転演出装置３０について詳説する。
【００７５】
図５〜図１０に示すように、回転演出装置３０は、ベース体３７と、傾動体３１と、前側の羽根プレート（第１の回転板）３２と、後側の羽根プレート（第２の回転板）３３と、傾動体駆動用モータ（傾動体駆動手段）３４と、羽根プレート駆動用モータ(回転板駆動手段)３５とから概略構成される。
【００７６】
ベース体３７は、複数の部材から構成され、センター役物１２の開口部１２ａの左下部を区画する役物飾り１５の後方に配置されて、ブラケット３８を介して遊技盤２０（図３参照）に固定される。
【００７７】
傾動体３１は、複数の部材から構成され、図６及び図８に示すように、その基端部（下端部）に前後方向に沿って延びる傾動軸３９が固定され、傾動軸３９を中心としてベース体３７に回転自在に支持される。傾動体駆動用モータ３４はベース体３７の下部に固定され、傾動体駆動用モータ３４の回転軸に固定された駆動ギヤ４０と傾動軸３９に固定された従動ギヤ４１とが噛合する。傾動体駆動用モータ３４は正逆方向に回転可能であり、傾動体駆動用モータ３４の回転駆動によって傾動体３１が傾動軸３９を中心として退避位置と作動位置との間を傾動する。傾動体３１は、退避位置では略鉛直方向に起立し（図５参照）、作動位置では退避位置に対して右下方（矢印７０方向）へ傾く（図７参照）。
【００７８】
前後の羽根プレート３２，３３は、風車役物３６を構成する。前側の羽根プレート３２には前後方向に沿って延びる回転軸４２が固定され、前側の羽根プレート３２は、回転軸４２を中心として傾動体３１の先端部（上端部）に回転自在に支持される。後側の羽根プレート３３は、回転軸４２に回転自在に支持されて（回転軸４２を中心として傾動体３１に回転自在に支持されて）、前側の羽根プレート３２の後側に重なる。
【００７９】
前側の羽根プレート３２は、回転軸４２が固定される略矩形板状の中央部３２ｂと、中央部３２ｂの対向辺から回転軸４２を挟んで両側へ延びる三角板状の１対の前側羽根部（第１の羽根部）３２ａとを一体的に有する羽根形状である。後側の羽根プレート３３は、回転軸４２に回転自在に支持される略矩形板状の中央部３３ｂと、中央部３３ｂの対向辺から回転軸４２を挟んで両側へ延びる略三角板状の１対の後側羽根部（第２の羽根部）３３ａとを一体的に有する羽根形状である。回転軸４２は、各中央部３２ｂ，３３ｂの略中心に配置され、前側の羽根プレート３２と後側の羽根プレート３３とは、その外形が略等しく形成されている。
【００８０】
後側の羽根プレート３３の中央部３３ｂには、回転軸４２を中心とし、その中心角が略４５度である円弧状の係合孔４３が、羽根プレート３３を貫通して形成されている。前側の羽根プレート３２の中央部３２ｂの後面には、係合孔４３にスライド移動自在に係合する円筒状の係合部４４が後方へ突設されている。前後の羽根プレート３２，３３は、係合部４４が係合孔４３の一端側へ移動して係合孔４３の一端（被係合部）４３ａと当接して係合する展開状態（図７、図８及び図１０参照）と、係合部４４が係合孔４３の他端側へ移動して係合孔４３の他端（被係合部）４３ｂと当接して係合する格納状態（図５、図６及び図９参照）との間で、回転軸４２を中心として相対回転自在である。係合孔４３の中心角が略４５度に設定されているため、展開状態と格納状態との間の前後の羽根プレート３２，３３の相対回転角度（格納状態に対する展開状態の位相）は略４５度である。格納状態では、前側羽根部３２ａと後側羽根部３３ａとが略全域で相互に重なり、前後の羽根プレート３２，３３はＩ字状に畳まれる。展開状態では、第１の羽根部と第２の羽根部とが略４５度ずれるため、両者の重なりは少なく、前後の羽根プレート３２，３３は十文字状に開く。
【００８１】
後側の羽根プレート３３には、回転軸４２を中心とする円弧状であり、回転軸４２を挟んで係合孔４３と対峙するガイド孔４５が、羽根プレート３３を貫通して形成されている。前側の羽根プレート３２の後面には、ガイド孔４５にスライド移動自在に係合する円弧状の突条４６が後方へ突設されている。展開状態及び格納状態の何れにおいても突条４６はガイド孔４５の両端に当接せず、突条４６がガイド孔４５に沿って移動することにより、前後の羽根プレート３２，３３が円滑に相対回転する。なお、羽根プレート３２を羽根プレート３３の後側に重ねて配置してもよい。羽根プレート３２に係合孔４３を設け、羽根プレート３３に係合部４４を設けてもよい。また、係合孔４３は有底の溝形状であってもよい。
【００８２】
格納状態で前側の羽根プレート３２が正方向（前方から視て時計回りである図中矢印７２方向）へ回転すると、係合部４４が係合孔４３内を他端側から一端側へ移動し、係合部４４が係合孔４３の一端４３ａに当接して展開状態となり、前後の羽根プレート３２，３３（風車役物３６）が展開状態を維持して正方向に回転する。展開状態で前側の羽根プレート３２が逆方向（前方から視て反時計回りである図中矢印７３方向）へ回転すると、係合部４４が係合孔４３内を一端側から他端側へ移動し、係合部４４が係合孔４３の他端４３ｂに当接して格納状態となり、前後の羽根プレート３２，３３（風車役物３６）が格納状態を維持して逆方向に回転する。
【００８３】
図１１〜図１３に示すように、傾動体３１の先端部には、前後方向に延びて回転軸４２が挿通する円筒状の軸支持部５０と、軸支持部５０の外周面からフランジ状に延びる当接板部５１とが一体形成され、軸支持部５０によって回転軸４２が傾動体３１に回転自在に支持される。後側の羽根プレート３３の後面側にはカラー８０が装着され、羽根プレート３３は、カラー８０を介して軸支持部５０に回転自在に支持される。
【００８４】
カラー８０は、後板部８１と内筒部８２と外筒部８３と２箇所の可撓アーム８４と３箇所の当接突起８５とを一体的に有する。後板部８１はドーナツ板状であり、内筒部８２は後板部８１の内周縁から前方へ延びる円筒形状である。内筒部８２の内径部を軸支持部５０が挿通することにより、カラー８０が軸支持部５０に回転自在に支持される。２箇所の可撓アーム８４は、内筒部８２（回転軸４２）を挟んで対峙し、内筒部８２の近傍から回転軸４２の径方向（図１３中の上下方向）へ直線状に延び、その先端側で前方へ曲折する。可撓アーム８４の先端には径方向外側へ突出する係止突起８６が一体形成され、係止突起８６の径方向外側には前方に向かって径方向内側へ傾斜する傾斜面８７が形成される。後板部８１には可撓アーム８４の左右を区画するスリット８８が各可撓アーム８４に対して２箇所ずつ（計４箇所）形成され、外筒部８３は可撓アーム８４及びスリット８８を除く後板部８１の外周縁から前方へ延びる。３箇所の当接突起８５のうちの１箇所は一方（図１３の上側）の可撓アーム８４の後面から突出し、他の２箇所は後板部８１の後面から突出する。
【００８５】
後側の羽根プレート３３の回転中心部分には、カラー装着部５２と２箇所のカラー係合孔５３とが形成される。カラー装着部５２は羽根プレート３３の後面から後方へ突出する円筒形状であり、カラー装着部５２の内径部にカラー８０の内筒部８２が挿入される。２箇所のカラー係合孔５３はカラー装着部５２（回転軸４２）を挟む点対称位置で対峙し、各カラー係合孔５３にはカラー８０の係止突起８６がそれぞれ後方から挿入される。カラー係合孔５３には、カラー８０の係止突起８６と係合可能なカラー係合部５４が形成される。
【００８６】
羽根プレート３３とカラー８０との間には付勢部材としてのコイルバネ５５が介装される。コイルパネル５５の内径部にカラー装着部５２が前方から挿入されることによって、コイルバネ５５が羽根プレート３３に組み付けられる。コイルバネ５５の前端は、羽根プレート３３の後面に当接して、コイルバネ５５の前方への移動を阻止する。自然長のコイルバネ５５の後端は、その前端が羽根プレート３３の後面に当接した状態でカラー装着部５２の後端よりも後方へ突出する。
【００８７】
羽根プレート３３にカラー８０を装着する場合、羽根プレート３３にコイルバネ５５を組み付けた状態で、カラー８０の２箇所の係止突起８６を羽根プレート３３の２箇所のカラー係合孔５３にそれぞれ後方から挿入し、カラー８０を羽根プレート３３に向けて移動させる。カラー８０の移動に伴って、カラー装着部５２の内径部にカラー８０の内筒部８２が挿入されるとともに、カラー８０の後板部８１の前面がコイルバネ５５の後端に当接する。カラー８０がコイルバネ５５に当接した後は、コイルバネ５５の付勢力（弾性力）に抗してカラー８０を押し込むように移動させる。係る移動により、コイルバネ５５が圧縮されるとともに、係止突起８６の傾斜面８７が羽根プレート３３のカラー係合部５４上を摺動して可撓アーム８４が撓み、係止突起８６がカラー係合部５４を乗り越えて、可撓アーム８４が復元する。可撓アーム８４が復元した後、カラー８０の押圧を解除することにより、コイルバネ５５の付勢力がカラー８０に作用し、係止突起８６がカラー係合部５４に係合して羽根プレート３３からのカラー８０の離脱を阻止し、カラー８０が羽根プレート３３に装着される。
【００８８】
後側の羽根プレート３３は、カラー８０の内筒部８２に傾動体３１の軸支持部５０を挿入することによって傾動体３１に回転自在に支持され、前側の羽根プレート３２は、後側の羽根プレート３３の前方から回転軸４２の前端部に固定される。回転軸４２に前側の羽根プレート３２を挿入すると、前側の羽根プレート３２の後面から突出する環状突起５６が後側の羽根プレート３３のカラー装着部５２の前面に当接し、後側の羽根プレート３３が後方へ移動し、カラー８０の後面の３箇所の当接突起８５が傾動体３１の当接板部５１の前面に当接した後、コイルバネ５５が圧縮されて羽根プレート３２，３３がさらに後方へ移動し、後側の羽根プレート３３のカラー係合部５４がカラー８０の係止突起８６から後方へ離間し、係る状態で前側の羽根プレート３２が回転軸４２に固定される。このように、前後の羽根プレート３２，３３が組み付けられた状態では、カラー係合部５４と係止突起８６とが離間し、コイルバネ５５の付勢力によって当接突起８５が当接板部５１に常時押圧されるので、当接突起８５と当接板部５１との間の摩擦力が増大する。
【００８９】
前後の羽根プレート３２，３３が相対回転すると、前側の羽根プレート３２の環状突起５６が後側の羽根プレート３３のカラー装着部５２の前面上を摺動し、後側の羽根プレート３３が傾動体３１に対して回転すると、後側の羽根プレート３３の当接突起８５が傾動体３１の当接板部５１の前面上を摺動する。コイルバネ５５のばね定数は、後側の羽根プレート３３と傾動体３１との間（当接突起８５と当接板部５１との間）の摩擦力の方が前後の羽根プレート３２，３３の間（環状突起５６とカラー装着部５２との間）の摩擦力よりも確実に大きくなるように設定される。但し、後側の羽根プレート３３と傾動体３１との間の摩擦力の増大は羽根プレート駆動用モータ３５の負荷の増大や摺動部分の磨耗の促進等を招くため、摩擦力が必要以上に過大とならないようにコイルバネ５５のばね定数を設定することが好適である。
【００９０】
このように、後側の羽根プレート３３と傾動体３１との間の摩擦力を前後の羽根プレート３２，３３の間の摩擦力よりも常時大きくしているので、例えば、格納状態で前側の羽根プレート３２が正方向へ回転する際には、回転開始時に後側の羽根プレート３３の連れ回りが発生せず、係合部４４が係合孔４３内を他端側から一端側へ移動して展開状態となるまでの間は、後側の羽根プレート３３は停止を維持し、展開状態に達してから連れ回りを開始する。同様に、展開状態で前側の羽根プレート３２が逆方向へ回転する際にも、回転開始時に後側の羽根プレート３３の連れ回りが発生せず、係合部４４が係合孔４３内を一端側から他端側へ移動して格納状態となるまでの間は、後側の羽根プレート３３は停止を維持し、格納状態に達してから連れ回りを開始する。従って、格納状態から展開状態へ移行する際や展開状態から格納状態へ移行する際に、前後の羽根プレート３２，３３の位相の変更を迅速に且つ確実に行なうことができ、常に安定した挙動で前後の羽根プレート３２，３３を開閉させることができる。
【００９１】
羽根プレート駆動用モータ３５は、傾動体３１の中間部に固定される。羽根プレート駆動用モータ３５の回転軸には駆動ギヤ４７が固定され、回転軸４２には従動ギヤ４８が固定され、駆動ギヤ４７と従動ギヤ４８の間には３つの中間ギヤ４９Ａ，４９Ｂ，４９Ｃが並んで配置される。中間ギヤ４９Ａ，４９Ｂ，４９Ｃの各々は、傾動体３１に回転自在に支持され、中間ギヤ４９Ａは駆動ギヤ４７及び中間ギヤ４９Ｂと噛合し、中間ギヤ４９Ｃは中間ギヤ４９Ｂ及び従動ギヤ４８と噛合する。羽根プレート駆動用モータ３５は正逆方向に回転可能であり、羽根プレート駆動用モータ３５の駆動によって前側の羽根プレート３２が回転軸４２を中心として正方向又は逆方向に回転する。前側の羽根プレート３２の正方向への駆動回転によって、展開状態で後側の羽根プレート３３が従動回転し、前側の羽根プレート３２の逆方向への駆動回転によって、格納状態で後側の羽根プレート３３が従動回転する。
【００９２】
サブ制御装置２００（図４参照）は、傾動体駆動用モータ３４を制御して傾動体３１を傾動させるとともに、羽根プレート駆動用モータ３５を制御して前側の羽根プレート３２を回転させる。サブ制御装置２００は、前側の羽根プレート３２を逆方向に回転して格納状態とする場合、前後の羽根プレート３２，３３が傾動体３１に沿って延びる所定の基準回転位置（図５参照）で羽根プレート駆動用モータ３５を停止する。
【００９３】
常態では、格納状態の前後の羽根プレート３２，３３が基準回転位置で停止した状態で、傾動体３１が退避位置に保持され、前後の羽根プレート３２，３３を含む回転演出装置３０の全体が役物飾り１５の後方に隠れる。傾動体３１が退避位置から作動位置へ傾動すると、前後の羽根プレート３２，３３が役物飾り１５から露出し、前側の羽根プレート３２の正方向への回転に応じて前後の羽根プレート３２，３３が展開状態で回転する。
【００９４】
前後の羽根プレート３２，３３の各羽根部３２ａ，３３ａは、中央部３２ｂ，３３ｂの各対向辺の全域のうち正回転方向（図中矢印７２方向）側に偏った領域から延びており、前側の羽根プレート３２が基準回転位置で停止して傾動体３１が退避位置に設定された状態と傾動体３１が動作位置に設定された状態との双方において、後側の羽根プレート３３の自重による回転力は、係止部４４と係合孔４３の他端４３ｂとが当接する正回転方向（図中矢印７２方向）へ作用する。
【００９５】
展開状態の前後の羽根プレート３２，３３が格納状態へ相対回転する際、後側の羽根プレート３３は、前側の羽根プレート３２に対し、回転軸４２を中心として前方から視て時計回り（図中矢印７２方向）へ回転し、傾動体３１が作動位置から退避位置へ傾動する際、傾動体３１は、傾動軸３９を中心として前方から視て反時計回り（図中矢印７１方向）へ回転する。すなわち、展開状態の前後の羽根プレート３２，３３が格納状態へ相対回転する際の前側の羽根プレート３２に対する後側の羽根プレート３３の回転軸４２を中心とした回転方向と、作動位置から退避位置へ傾動する際の傾動体３１の傾動軸３９を中心とした回転方向とは、反対方向に設定されている。
【００９６】
［回転演出装置による演出］
回転演出パターンは、所定の条件を満たすリーチ演出が実行される場合に選択される演出パターンであり、例えば、演出表示装置１１に所定のキャラクタを表示する場合に選択される。
【００９７】
サブ制御装置２００は、回転演出パターンを選択すると、所定のタイミングで回転演出を開始する。回転演出の開始に応じて、サブ制御装置２００は、傾動体３１を退避位置から作動位置へ傾動させるとともに、前側の羽根プレート３２を正方向（図中矢印７２方向）へ回転させる回転演出開始処理（展開状態への回転制御）を実行し、所定時間が経過するまで前側の羽根プレート３２の正方向への回転を継続し、所定時間の経過に応じて回転演出終了処理を実行する。回転演出終了処理において、サブ制御装置２００は、正方向に回転する前側の羽根プレート３２を停止して逆方向（図中矢印７３方向）へ回転させ（格納状態への逆回転制御）、前後の羽根プレート３２，３３を格納状態で基準回転位置に停止するとともに、傾動体３１を作動位置から退避位置へ傾動させる。なお、前側の羽根プレート３２が逆方向へ回転して基準回転位置に停止するまで回転角度は、前後の羽根プレート３２，３３が確実に格納状態となる角度（例えば９０度）以上に設定されている。
【００９８】
以上説明したように、本実施形態によれば、回転演出が開始されると、傾動体３１が退避位置から作動位置へ傾動し、役物飾り１５の後方に隠れていた風車役物３６が出現するとともに、格納状態の風車役物３６が展開状態に拡がって回転する。このように、風車役物３６が出現する演出と展開して回転する演出とを連携して実行することができ、単一の回転演出装置３０によってインパクトのある動的な演出を実現することができる。
【００９９】
回転演出が実行されない常態の風車役物３６は、前後の羽根プレート３２，３３が略全域で相互に重なる格納状態で役物飾り１５の後方に位置するので、役物飾り３６の後方における風車役物３６の配置スペースを狭く抑えることができ、省スペース化を図ることができる。
【０１００】
風車役物３６を展開状態で回転させるための羽根プレート駆動用モータ３５によって、風車役物３６を格納状態と展開状態との間で変更させるので、風車役物３６を格納状態と展開状態との間で変更させるための駆動源を別途設ける必要がなく、部品点数の削減及び構造の簡素化を図ることができる。
【０１０１】
回転演出の終了時において、傾動体３１が作動位置に設定され、格納状態の風車役物３６が基準回転位置で停止した場合、後側の羽根プレート３３の自重による回転力は、係止部４４と係合孔４３の他端４３ｂとが当接する方向へ作用するので、前側の羽根プレート３２の逆方向への回転が停止した後であっても、格納状態を確実に維持させることができる。また、係る状態で傾動体３１が退避位置へ傾動した後においても、後側の羽根プレート３３の自重による回転力は、係止部４４と係合孔４３の他端４３ｂとが当接する方向へ作用するので、回転演出の非実行時の格納状態を確実に維持させることができる。
【０１０２】
また、傾動体３１が作動位置から退避位置へ移動する際に後側の羽根プレート３３に生じる慣性力は、前側の羽プレート３２に対して格納状態へ向かう方向への回転力として後側の羽根プレート３３に作用するため、傾動体３１が作動位置から退避位置へ移動する間においても、格納状態を確実に維持させることができる。
【０１０３】
以上、本発明者によってなされた発明を適用した実施形態及びその変形例について説明したが、これらの実施形態及び変形例による本発明の開示の一部をなす論述及び図面により本発明は限定されることはない。すなわち、これらの実施形態又は変形例に基づいて当業者等によりなされる他の実施形態、実施例及び運用技術等は全て本発明の範疇に含まれることは勿論であることを付け加えておく。
【０１０４】
例えば、羽根プレートの枚数は２枚に限定されるものではなく、３枚以上であってもよい。この場合、３枚の羽根プレートのうち１枚の羽根プレートを第１の回転板として駆動回転させ、他の複数の羽根プレートを第２の回転板として従動回転させればよい。
【０１０５】
また、風車を表す風車役物３６を例示したが、他の物（例えば手裏剣）を表す役物であってもよい。
【符号の説明】
【０１０６】
１：パチンコ機  １１：演出表示装置  １２：センター役物  １５：役物飾り（被覆部材）  ２０：遊技盤（遊技機本体）  ２１：遊技領域  ３０：回転演出装置  ３１：傾動体  ３２：前側の羽根プレート（第１の回転板）  ３２ａ：前側羽根部（第１の羽根部）、  ３３：後側の羽根プレート（第２の回転板）  ３３ａ：後側羽根部（第２の羽根部）  ３４：傾動体駆動用モータ（傾動体駆動手段）  ３５：羽根プレート駆動用モータ（羽根部駆動手段、回転板駆動手段）  ３６：風車役物  ３７：ベース体  ３９：傾動軸  ４２：回転軸  ４３：係合孔  ４３ａ：係合孔の一端（被係合部）  ４３ｂ：係合孔の他端（被係合部）  ４４：係合部  ４５：ガイド孔  ４６：突条  ２００：サブ制御装置（制御手段）
【図１】
2016042949.tif 000003
【図２】
2016042949.tif 000004
【図３】
2016042949.tif 000005
【図４】
2016042949.tif 000006
【図５】
2016042949.tif 000007
【図６】
2016042949.tif 000008
【図７】
2016042949.tif 000009
【図８】
2016042949.tif 000010
【図９】
2016042949.tif 000011
【図１０】
2016042949.tif 000012
【図１１】
2016042949.tif 000013
【図１２】
2016042949.tif 000014
【図１３】
2016042949.tif 000015